(57)【要約】【課題】異常が起きた際に空気調和機本体の表示部や双方向通信を用いたリモートコントローラに異常表示を行う空気調和機の従来の異常状態のクリア方法では、再度異常状態を確認するためにサービスマンやユーザーが異常状態をクリアしようとする場合、その度に空気調和機本体のリセットスイッチや電源スイッチを操作したり、電源コードを抜く作業をしなければならなかった。【解決手段】空気調和機本体に異常判定手段１を備え、異常内容を検知し、異常内容に応じて、空気調和機本体側の充電部５のバッテリーにより制御部２が電源をリセットすることが可能になり、異常の原因が偶発的な電源のノイズ等の場合であれば、サービスマンが異常状態をクリアするためだけに空気調和機本体のリセットスイッチや電源スイッチを操作するだけの作業が不要となり、サービスマンへの依頼頻度も減少し工事性向上となる。【選択図】図1
2007218447.tif 000002
【特許請求の範囲】
【請求項１】
空気調和機本体の異常状態を検出する異常内容検出手段と、空気調和機本体の制御を行う制御部と、制御部からの指令により電源を開閉させる電源開閉手段と、空気調和機に電源を供給する電源回路部と、電源を遮断しても制御部に電源を供給することが出来るバッテリーを含む充電部とを備えた空気調和機において、前記異常内容検出手段からの異常内容に応じて、空気調和機本体の電源を前記電源開閉手段を開としてオフ後、前記バッテリーで制御部を動作させて前記電源開閉手段を閉として再度オンしてリセットし、異常を復帰させることができることを特徴とした空気調和機。
【請求項２】
異常検知回数に応じて、電源をリセットし異常を復帰させることができる異常検知回数設定手段を備えたことを特徴とする請求項１に記載の空気調和機。
【請求項３】
異常の内容を表示することができる異常内容表示手段を備えたことを特徴とする請求項１に記載の空気調和機。
【請求項４】
異常の内容を記憶することができる異常内容記憶手段を備えたことを特徴とする請求項１に記載の空気調和機。
【請求項５】
請求項１〜４に記載の単数または複数の構成を搭載した空気調和機。
【発明の詳細な説明】
【技術分野】
【０００１】
本発明は空気調和機の異常検知時の制御に関するものである。
【背景技術】
【０００２】
従来、異常状態を検知してユーザにその旨を通知する機能を有する空気調和機は、異常状態が生じた際には異常状態の記憶をリモートコントローラからの信号に応じて返信し、リモートコントローラは返信信号に応じて異常状態の内容をリモートコントローラの表示装置に表示し、ユーザはこの異常情報を確認して、その故障診断に応じてサービスマンに対応を依頼していた。（例えば、特許文献１参照）
図３は、特許文献１に記載された従来の設置状態を示すものである。図５に示すように、室内ユニット１０１と室外ユニット１０２と、室内の壁１０３と、制御信号路１０４と、ユーザー用の第１のリモートコントローラ１０５と、サービスマン用の第２のリモートコントローラ１０６とから構成されている。
【特許文献１】特開平４−３２４０４６号公報
【発明の開示】
【発明が解決しようとする課題】
【０００３】
しかしながら、前記従来の構成では、異常の発生の原因が偶発的な電源のノイズ等の場合であれば、再度異常状態を確認するためにサービスマンやユーザーが異常状態をクリアしようとする場合、その度に空気調和機本体のリセットスイッチや電源スイッチを操作したり、電源コードを抜く作業をしなければならないという課題を有していた。
【０００４】
本発明は、前期従来の課題を解決するもので、異常の原因が偶発的な電源のノイズ等の場合であれば、サービスマンが異常状態をクリアするための空気調和機本体のリセットスイッチや電源スイッチを操作するだけの作業が不要とした空気調和機を提供することを目的とする。
【課題を解決するための手段】
【０００５】
前記従来の課題を解決するために、本発明の空気調和機は、空気調和機本体が異常判定手段で異常状態を検知し、空気調和機本体側の制御部が電源をリセットすることが可能としたものである。
【０００６】
これによって、異常の原因が偶発的な電源のノイズ等の場合であれば、サービスマンが異常状態をクリアするための空気調和機本体のリセットスイッチや電源スイッチを操作するだけの作業が不要となる。
【発明の効果】
【０００７】
本発明の空気調和機は、異常をクリアするだけで、復旧することができる単純なサービスマンへの依頼頻度も減少し工事性向上となる。
【発明を実施するための最良の形態】
【０００８】
第１の発明は、異常内容を検出する異常内容検出手段と、異常内容に応じて空気調和機本体の制御を行う制御部と、制御部からの指令により電源を開閉させる電源開閉手段と、空気調和機に電源を供給する電源回路部と、電源を遮断されても制御部に電源を供給することが出来る充電部から構成される空気調和機とすることにより、異常内容検出手段からの異常内容に応じて、空気調和機本体の電源をリセットし異常を復帰させることができる。
【０００９】
第２の発明は、特に、第１の発明の異常内容検出手段からの異常内容を制御部が検知し、
異常検知回数に応じて、電源をリセットし異常を復帰させることができる異常検知回数設定手段を備えたことにより、異常検知回数設定手段からの異常検知回数に応じて、空気調和機本体の電源をリセットし異常を復帰させることができる。
【００１０】
第３の発明は、特に、第１の発明の異常内容検出手段からの異常内容を制御部が検知し、
異常の内容を表示することができる異常表示手段を備えたことにより異常内容を確認することができる。
【００１１】
第４の発明は、特に、第１の発明の制御部に異常の内容を記憶することができる異常内容記憶手段を備えたことにより異常内容の履歴を記憶することができる。
【００１２】
第５の発明は、特に、第１〜４に記載の単数または複数の制御を搭載することにより、異常内容に応じて異常回数をカウントし、異常履歴も記憶させることで、異常が細分化され、より細かい異常の内容によって空気調和機本体の電源をリセットし異常を復帰させることができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態の回路図を示すものである。図１において、空気調和機本体の異常内容を検出する異常内容検出手段１と、異常内容に応じて空気調和機本体の制御を行う制御部２と、制御部２からの開閉指令により電源を開閉させる電源開閉手段３と、空気調和機本体に電源を供給する電源回路部４と、電源を遮断されても制御部２に電源を供給することが出来るバッテリーを含む充電部５とから構成される空気調和機である。
【００１５】
以上のように構成された空気調和機本体について、以下その動作、作用を説明する。まず、異常内容検出手段１が空気調和機本体の異常内容を検出し、制御部２が異常内容検出手段１から異常内容を受信し、異常の内容に応じて、制御部２が運転を停止するとともに、電源開閉手段３に電源遮断指令を送信し、電源開閉手段３を開としてオフした後、充電部５のバッテリーから電源の供給を受けた制御部２により電源開閉手段３を閉として再度電源オンし、電源をリセットする。
【００１６】
以上のように、本実施の形態においては異常内容検出手段１が検出した異常内容に応じて、空気調和機本体の電源をリセットし、異常をクリアすることができる。
【００１７】
（実施の形態２）
図２は、本発明の第２の実施の形態の回路図である。本発明の第１の実施の形態で示した空気調和機本体に異常検出回数設定手段６を構成した空気調和機である。以上のように構成された空気調和機本体について、以下その動作、作用を説明する。
【００１８】
まず、異常内容検出手段１が空気調和機本体の異常内容を検出し、制御部２が異常内容検出手段１から異常内容を受信し、異常検出回数設定手段６で異常検知回数が設定された異常回数に応じて、制御部２が運転を停止するとともに、電源開閉手段３に電源遮断指令を送信し、電源をリセットする。
【００１９】
以上のように、本実施の形態においては異常検出回数設定手段６で異常検知回数が設定された異常回数に応じて、空気調和機本体の電源をリセットし、異常をクリアすることができる。
【００２０】
（実施の形態３）
図３は、本発明の３の実施の形態の回路図である。本発明の第１の実施の形態で示した空気調和機本体に異常内容表示手段７を構成した空気調和機である。以上のように構成された空気調和機本体について、以下その動作、作用を説明する。
【００２１】
まず、異常内容検出手段１が空気調和機本体の異常内容を検出し、制御部２が異常内容検出手段１から異常内容を受信し、異常内容に応じて制御部２が運転を停止するとともに、電源開閉手段３に電源遮断指令を送信し、電源をリセットし、異常内容表示手段７で異常内容を表示することができる。
【００２２】
以上のように、本実施の形態においては異常内容表示手段７で異常内容を表示することができるため、異常内容を確認することができる。
【００２３】
（実施の形態４）
図４は、本発明の４の実施の形態の回路図である。本発明の第１の実施の形態で示した空気調和機本体に異常内容記憶手段８を構成した空気調和機である。以上のように構成された空気調和機本体について、以下その動作、作用を説明する。
【００２４】
まず、異常内容検出手段１が空気調和機本体の異常内容を検出し、制御部２が異常内容検出手段１から異常内容を受信し、異常内容に応じて制御部２が運転を停止するとともに、電源開閉手段３に電源遮断指令を送信し、電源をリセットし、異常内容記憶手段８で異常内容を記憶することができる。
【００２５】
以上のように、本実施の形態においては異常内容記憶手段８で異常内容を記憶することができるため、サービス時に異常の履歴を確認することができる。
【産業上の利用可能性】
【００２６】
以上のように、本発明にかかる空気調和機は、異常内容や異常回数に応じて、電源をリセットし、異常をクリアするので、異常の原因が偶発的な電源のノイズ等の場合であれば、サービスマンが異常状態をクリアするために空気調和機本体のリセットスイッチや電源スイッチを操作するだけの作業が必要とせず、サービスマンへの依頼頻度も減少し工事性向上となる。
【図面の簡単な説明】
【００２７】
【図１】本発明の実施の形態１における回路図
【図２】本発明の実施の形態２における回路図
【図３】本発明の実施の形態３における回路図
【図４】本発明の実施の形態４における回路図
【図５】従来技術の設置状態を示す図
【符号の説明】
【００２８】
１  異常内容検出手段
２  制御部
３  電源開閉手段
４  電源回路部
５  充電部
６  異常検知回数設定手段
７  異常内容表示手段
８  異常内容記憶手段
１０１  従来技術の室内ユニット
１０２  従来技術の室外ユニット
１０３  従来技術の室内の壁
１０４  従来技術の制御信号路
１０５  従来技術のユーザー用リモートコントローラ
１０６  従来技術のサービスマン用リモートコントローラ
【図１】
2007218447.tif 000003
【図２】
2007218447.tif 000004
【図３】
2007218447.tif 000005
【図４】
2007218447.tif 000006
【図５】
2007218447.tif 000007